(57)【要約】【課題】  利用者が現地で手軽で簡単な操作によってガイド情報を入手することができる音声ガイドシステムを提供すること。【解決手段】  画像や地図あるいは文字などの表示情報Ｖｎおよび／または音声情報Ｓｎをガイド情報として送受信する音声ガイドシステムであって、該ガイド情報をサーバー１１によって送信・提供し、電気通信手段１４、電子機器１２、あるいは電子媒体１３のいずれを介しても、可搬の音声ガイド１０によって受信されダウンロードすることができるとともに、前記ガイド情報が、第１情報〜第ｍ情報までの多段階の表示情報Ｖｎおよび／またはこれにリンクする音声情報Ｓｎに区分され、各段階の情報について案内番号が付与された情報であることを特徴とする【選択図】    図１
2007316315.tif 000002
【特許請求の範囲】
【請求項１】
画像や地図あるいは文字などの表示情報および／または音声情報をガイド情報として送受信する音声ガイドシステムであって、該ガイド情報をサーバーによって送信・提供し、電気通信手段、電子機器、あるいは電子媒体のいずれを介してもダウンロードすることができ、可搬の音声ガイドによって受信されるとともに、前記ガイド情報が、第１情報〜第ｍ情報までの多段階の表示情報および／またはこれにリンクする音声情報に区分され、各段階の情報について案内番号が付与された情報であることを特徴とする音声ガイドシステム。
【請求項２】
前記音声ガイドが、ガイド情報を受信する受信部、該受信された情報を保存・処理する処理部、前記表示情報を画面表示する表示部、前記音声情報を音声出力する音声出力部、前記表示情報から任意の選択を担う操作部、を有し、受信されたガイド情報を、最初に表示された前記第１情報から前記案内番号が付与された第２情報を選択し、選択された該第２情報として表示された情報から案内番号が付与された第３情報を選択し、以降順に第（ｍ−１）情報に表示された情報から選択される案内番号が付与された第ｍ情報からなり、選択された第１〜第ｍ情報のいずれか任意の第ｎ情報が案内番号が付与されて表示されるとともに、該第ｎ情報にリンクした音声情報として出力されることを特徴とする請求項１記載の音声ガイドシステム。
【請求項３】
前記音声ガイドが、ガイド情報を受信する受信部、該受信された情報を保存・処理する処理部、前記音声情報を音声出力する音声出力部、前記音声情報から任意の選択を担う操作部、を有し、受信されたガイド情報を、前記第１情報から前記案内番号が付与された第２情報を選択し、選択された該第２情報から案内番号が付与された第３情報を選択し、以降順に第（ｍ−１）情報から選択される案内番号が付与された第ｍ情報からなり、選択された第１〜第ｍ情報のいずれか任意の第ｎ情報にリンクした音声情報として出力されることを特徴とする請求項１記載の音声ガイドシステム。
【請求項４】
前記第１情報〜第ｍ情報までの多段階の表示情報または／およびこれにリンクする音声情報が、前記操作部の選択操作ごとに、あるいは選択された第１〜第ｍ情報のいずれか任意の第ｎ情報について、前記受信部または電気通信手段、電子機器、あるいは電子媒体のいずれかによって受信されダウンロードされることを特徴とする請求項１〜３のいずれかに記載の音声ガイドシステム。
【発明の詳細な説明】
【技術分野】
【０００１】
本発明は、美術館や博物館等の各種展示場、または観光名所等において用いられる音声ガイドに関するものである。
【背景技術】
【０００２】
最近、美術館や各種展示場において、来客に対して展示物の紹介・説明を音声で行うガイド用の装置（以下「音声ガイド」という）が用意されていることが多くなっている。特に、高齢者や若年者を伴う家族連れの場合には、配布されたり展示物の前に掲示される説明書を読むことを躊躇することが多く、簡単な操作でその説明を聞くことができることは、こうした見学者にとっても非常に好ましい。また、主催者にとっても、説明のために停滞を招き見学者の流れが悪くなることは好ましくない。こうした両者の不都合を改善する手段としても音声ガイドの有用性が認められている。
【０００３】
また、貸出し専用の音声ガイドとして、図３に示すように、本体の軽量化を図り、使用者が容易に利用できるように、ガイド情報をフラッシュメモリ２５等に圧縮して収納し、使用時に圧縮を解除して表示・音声に変換する構成を採用し、特に大きなメモリ容量を必要とする音声情報２２や画像情報（画面表示部２３に表示）の収納を小型のカードメモリ程度にすることを特徴とする装置２１が実用化されている（例えば特許文献１参照）。
【０００４】
【特許文献１】特開２００２−３１１９７８号公報
【発明の開示】
【発明が解決しようとする課題】
【０００５】
しかしながら、こうした従来の技術を適用して各種の要求に対応しようとする場合においては、以下のような課題を克服する必要があった。
【０００６】
従来、一定の対象物の紹介・説明を音声で確保できるガイドについては、利用者の携帯が条件であり本体の軽量化は必須の要件となる。特に、高齢者や若年者を伴う家族連れにとっては、長時間の携帯は負担が大きく、こうした軽量化の要求の強さは他の携帯品の比較をまたない。また、ガイド情報を得ることによる有用性は、上記のような美術館等のクローズな場所に限られるものではなく、各地の観光を目的とする高齢者等が多くなってきた昨今では、広域のオープンな場所にも音声ガイドに対する需要も多く、こうした利用に適用できる装置が求められている。例えば、京都市内観光を例にとれば、金閣寺・清水寺等の名所旧跡における音声によるガイド情報を１つの音声ガイドで確保する要求等がこれに該当する。
【０００７】
その一方、最近のように展示品についての情報量が多くなったり、展示品の数が多くなると、情報の収納量が増大し、記憶部及びその周辺機能を含め装置の拡大化を生じ易い。特に、ナビゲーション機能を含む音声ガイドについては情報の増加量は膨大であり、こうした機能追加は、装置の軽量化を困難にするものであった。現実には、音声のみによるガイドまたはナビゲーション機能のみによるガイドのいずれかの機能しかない装置しか実用化されていなかった。
【０００８】
また、上記のような専用機器による音声ガイドにあっては、貸出、返却の場所が固定され、利用者の利便性に欠ける場合もあることから、携帯電話やインターネットなど専用機器以外のツールを用いたガイド情報の入手や利用の要請が強まってきた。
【０００９】
一方、携帯電話やインターネットを利用した観光情報が種々提供されているが、文字や画像によるものが主流で、音声による案内はなかった。また、コンテンツによっては、地図を併せて持ちながら案内を聞く必要があったことから、ガイド情報として簡単な地図情報が含まれていることが望まれている。
【００１０】
そこで、この発明の目的は、こうした要請に対応し、利用者が現地で手軽で簡単な操作によってガイド情報を入手することができる音声ガイドシステムを提供することにある。具体的には、ガイド情報として、地図や案内などの文字や画像の情報だけではなく、それにリンクする音声情報をも現場で聞くことができる音声ガイドシステムを提供することを目的とする。
【課題を解決するための手段】
【００１１】
本発明者は、鋭意研究を重ねた結果、以下に示す音声ガイドシステムによって上記目的を達成できることを見出し、本発明を完成するに到った。
【００１２】
本発明は、画像や地図あるいは文字などの表示情報および／または音声情報をガイド情報として送受信する音声ガイドシステムであって、該ガイド情報をサーバーによって送信・提供し、電気通信手段、電子機器、あるいは電子媒体のいずれを介しても、可搬の音声ガイドによって受信されダウンロードすることができるとともに、前記ガイド情報が、第１情報〜第ｍ情報までの多段階の表示情報および／またはこれにリンクする音声情報に区分され、各段階の情報について案内番号が付与された情報であることを特徴とする。
【００１３】
上記のように、従前においては利用者に直接音声情報を観光情報とリンクして配信する音声ガイドシステムはなかった。本発明においては、表示情報と音声情報を含むガイド情報がサーバーから一括して提供され、パーソナルコンピュータ（以下「ＰＣ」という）やインターネット、あるいは携帯電話、さらにはカードやディスクあるいはスティックなどのメモリ媒体を介して、音声ガイドの受信部にダウンロードすることによって、利用者が任意に地図や案内などの文字や画像の情報だけではなく、それにリンクする音声情報をも現場で聞くことができる。つまり、こうした音声ガイドシステムによって、利用者が現地で手軽で簡単な操作によって音声情報を含むガイド情報を入手することができる。なお、ここでいう「送信・受信」とは、通信手段において授受される場合だけではなく、電子媒体などを介して情報を授受する場合を含む広い概念をいう。
【００１４】
また、本発明は、従前の専用機器に代え、パソコン、携帯電話、デジタルプレーヤーやＭＰ３方式などデジタル通信システムを利用して、神社・仏閣などの観光清報を音声にて案内する音声ガイドを提供するものである。従って、音声ガイドを介して上記のような音声ガイドシステムと接続し、多段階に整理されリンクが張られた表示情報と音声情報を随意にダウンロードすることによって、利用者が現地で手軽で簡単な操作によって、素早くガイド情報を入手することが可能となる。つまり、本発明は、表示情報および／またはこれにリンクする音声情報が多段階に区分され、かつ各段階の情報について案内番号が付与された、階層状に整理・体系付けられた情報とすることによって、音声ガイドの画面に表示された表示情報および／または音声情報を任意に選択し、さらに詳細な表示情報および／または音声情報を段階的に得ることができることから、簡単な操作によって、素早くガイド情報を入手することが可能となる。
【００１５】
本発明は、上記音声ガイドシステムであって、前記音声ガイドが、ガイド情報を受信する受信部、該受信された情報を保存・処理する処理部、前記表示情報を画面表示する表示部、前記音声情報を音声出力する音声出力部、前記表示情報から任意の選択を担う操作部、を有し、受信されたガイド情報を、最初に表示された前記第１情報から前記案内番号が付与された第２情報を選択し、選択された該第２情報として表示された情報から案内番号が付与された第３情報を選択し、以降順に第（ｍ−１）情報に表示された情報から選択される案内番号が付与された第ｍ情報からなり、選択された第１〜第ｍ情報のいずれか任意の第ｎ情報が案内番号が付与されて表示されるとともに、該第ｎ情報にリンクした音声情報として出力されることを特徴とする。
【００１６】
上記のように、本発明は、パソコンやインターネットあるいはメモリカードなどを介して、神社・仏閣などの観光清報を音声にて案内する音声ガイドシステムを提供するものである。このとき、音声ガイドは、ガイド情報の受信部、処理部、表示部、音声出力部および表示情報から任意の選択ができる操作部を有することによって、音声情報を含むガイド情報を入手することが可能であるとともに、音楽配信同様携帯電話などを利用して画面に表示された表示情報から任意に選択し、それとリンクした音声情報を得ることができることから、利用者が現地で手軽で簡単な操作によって音声情報を含むガイド情報を入手することができる。
【００１７】
本発明は、上記音声ガイドシステムであって、前記音声ガイドが、ガイド情報を受信する受信部、該受信された情報を保存・処理する処理部、前記音声情報を音声出力する音声出力部、前記音声情報から任意の選択を担う操作部、を有し、受信されたガイド情報を、前記第１情報から前記案内番号が付与された第２情報を選択し、選択された該第２情報から案内番号が付与された第３情報を選択し、以降順に第（ｍ−１）情報から選択される案内番号が付与された第ｍ情報からなり、選択された第１〜第ｍ情報のいずれか任意の第ｎ情報にリンクした音声情報として出力されることを特徴とする。
【００１８】
近年音楽用プレーヤーのように音声情報のみを得ることができる手段は、ますます小型化・高精度化が図られている。本発明は、こうした音楽配信システムの機能を利用することも可能であることを活用し、本発明固有の構造を有する音声情報のみのガイド情報をパソコンやインターネットあるいはメモリカードなどを介して提供することによって、利用者が現地で手軽で簡単な操作によって音声によるガイド情報を入手することができる。また、こうした機能は、従前の専用機器に代わり、非常に軽量で身近な手段を利用することができる点においても利便性の高い音声ガイドシステムとすることができる。
【００１９】
本発明は、上記音声ガイドシステムであって、前記第１情報〜第ｍ情報までの多段階の表示情報または／およびこれにリンクする音声情報が、前記操作部の選択操作ごとに、あるいは選択された第１〜第ｍ情報のいずれか任意の第ｎ情報について、前記受信部または電気通信手段、電子機器、あるいは電子媒体のいずれかによって受信されダウンロードされることを特徴とする。
【００２０】
昨今のメモリ・データ処理技術の高度化に伴い、音声ガイドに用いるメモリ手段や処理手段についても大容量のガイド情報を扱うことが容易となっている。しかしながら、使用する端末手段によっては、画像情報を含むすべての情報を扱う場合には、処理速度の低下が避けられないことがある。本発明は、こうした端末にも対応可能なように、操作部の選択操作ごとに、あるいは所定以上の容量を有する情報についてはその選択がされた場合にダウンロードを行うもので、利用者が使用する端末（音声ガイド）の負荷を軽減することができる。これによって、利用者が現地で手軽で簡単な操作によってガイド情報を入手することができる音声ガイドを提供することが可能となる。
【発明の効果】
【００２１】
以上のような特徴を有する発明によって、手軽で簡単な操作によってガイド情報を入手することができる音声ガイドを提供することができ、利用者が地図や案内などの文字や画像の情報だけではなく、それにリンクする音声情報をも現場で聞くことが可能となった。つまり、本発明は、音声情報を含むガイド情報を、パソコンやインターネットあるいはメモリカードなどを介して容易に入手することができるとともに、音楽配信同様携帯電話などを利用して画面に表示された表示情報から任意に選択し、簡単な操作によって音声情報を含むガイド情報を入手することができる。
【発明を実施するための最良の形態】
【００２２】
以下、本発明の実施の形態について、図面を参照しながら説明する。
本発明は、画像や地図あるいは文字などの表示情報および／または音声情報をガイド情報として送受信する音声ガイドシステム（以下「本システム」という。）であって、ガイド情報をサーバーによって送信・提供し、電気通信手段、電子機器、あるいは電子媒体のいずれを介してもダウンロードすることができ、可搬の音声ガイドによって受信されるとともに、ガイド情報が、第１情報〜第ｍ情報までの多段階の表示情報および／またはこれにリンクする音声情報に区分され、各段階の情報について案内番号が付与された情報であることを特徴とする。まず、本システムの構成例について説明し、次にガイド情報の構成について説明する。
【００２３】
＜本発明に係る音声ガイドシステムの構成例＞
図１に、本システムの構成例を示す。ガイド情報をサーバー１１によって送信・提供され、電子機器１２、電子媒体１３あるいは電気通信手段１４のいずれかの手段を介してもダウンロードすることができるシステムであって、各手段に接続された可搬の音声ガイド１０によってガイド情報が受信されて、音声ガイド１０の利用者に伝達され利用に供される。
【００２４】
音声ガイド１０として使用可能な機器としては、画像や地図あるいは文字などの表示情報および／または音声情報を受信することができ、利用者がその情報の選択を行うことができる機能を有するものであれば、限定されるものではなく、図１においては、１０ａ〜１０ｅの６種類を例示する。具体的には、モバイル本体でガイド情報の送受信が可能な機器として、携帯電話１０ａやＰＤＡ１０ｂを挙げることができ、受信専用機器として、電子機器１２（端末専用機器１２ａを含む）を介して直接ダウンロード可能なＭＰ３プレーヤーなどのデジタルプレーヤー１０ｃ，１０ｄや、電子媒体１３（電子機器１２用の電子媒体１３ａおよび端末専用機器１２ｂ用の電子媒体１３ｂを含む）を介して受信可能なポータブルプレーヤー１０ｅ，１０ｆなどを挙げることができる。ガイド情報の伝達ルートの詳細については後述する。
【００２５】
サーバー１１は、表示情報と音声情報を含むガイド情報の基となる情報を記憶する手段と、記憶されたデータベースから表示情報と音声情報とをリンクさせて多段階のガイド情報を作成する手段と、このガイド情報を上記ダウンロードできる手段に転送する手段と、を備えた構成とすることが好ましい。具体的には、情報専用サーバーやパーソナルコンピュータ（ＰＣ）等を用いて構成される。
【００２６】
ここでいう電子機器１２とは、ＰＣやプロバイダ専用機器あるいはガイド情報の中継基地局のように、ガイド情報をサーバー１１からの受信し音声ガイド１０に送信する機能を有する機器をいう。電子機器１２においてダウンロードされたガイド情報を、音声ガイド１０に直接ダウンロードする場合、音声ガイド１０と送受信を行う場合、あるいは電子媒体１３にダウンロードし音声ガイド１０に取り込む場合などがある。あるいは、電子機器１２においてはダウンロードせずに、サーバー１１からのガイド情報の中継のみを行うことも可能である。
【００２７】
電子媒体１３とは、上記のように電子機器１２と音声ガイド１０の間においてガイド情報を仲介する媒体をいう。具体的には、ＦＤ，ＣＤ，メモリスティック，メモリカード，ＵＳＢフラッシュメモリなどを挙げることができる。近年種々の電子媒体、特に小型で大容量のメモリが実用化されていることから、これらの媒体について、上記機能を有するものであれば、いずれも使用することが可能である。また、音声ガイド１０に内蔵するタイプ以外に、薄型や軽量であることから、外付けの媒体も利用可能である。
【００２８】
ここでいう電子通信手段１４とは、広く有線・無線を問わず、通信プロトコルを用いて情報の交信が可能な手段をいう。具体的には、インターネット，イントラネット，インターネットと接続された基地局との交信が可能な無線ＬＡＮなどを挙げることができる。上記のように、サーバー１１から音声ガイド１０へのガイド情報の送信・伝達経路中にいくつかの中継手段が用いられる場合には、その中継手段の間のいずれかにおいて使用することが可能である。
【００２９】
以上の構成からなる本システムにおいては、種々のルートを利用したガイド情報の受信が可能となる。具体的には、図１に例示するように、音声ガイド１０ａ〜１０ｆを用いた場合、以下のルートからのガイド情報の受信が可能となる。
【００３０】
（１）サーバー１１から送信されたガイド情報を直接受信するルート
具体的には、図１（１）に例示するように、携帯電話１０ａやＰＤＡ１０ｂなどを音声ガイドとして用い、サーバー１１からインターネットなどの電子通信手段１４を介して送信されたガイド情報を、直接受信し、ダウンロードするルートである。昨今の携帯端末の普及および高機能化によって、一層容易に、かつ簡単な操作で情報が入手でき利用することが可能となった。この場合、携帯電話１０ａやＰＤＡ１０ｂなどの携帯端末においては送信機能を有することから、ガイド情報の一部である案内番号（詳細は後述する）とリンクさせた案内出力を、利用者の操作と同時に送信し、該当する情報をダウンロードすることによって、携帯端末の負荷を軽減することができる。
【００３１】
（２）電子機器１２を介してガイド情報を直接受信するルート
図１（２）に例示するように、サーバー１１からインターネットなどの電子通信手段１４を介して送信されたガイド情報を一旦電子機器１２にダウンロードし、これと接続してデジタルプレーヤー１０ｃにダウンロードするルートである。携帯電話１０ａやＰＤＡ１０ｂなどの携帯端末においては、こうしたルートを利用することも可能である。後述するように、本システムにおいて送受信される情報の形式が、多段階（多階層）に区分されていることによって、こうした情報ルートに適合しやすく、情報の圧縮処理などにも対応することが容易である。また、図１（３）に例示するように、電子機器１２にダウンロードしたガイド情報を、これと接続あるいは送受信可能な端末専用機器１２ａにおいて、ＭＰ３プレーヤーなどのデジタルプレーヤー１０ｄにダウンロードするルートも同様である。なお、電子機器１２においてダウンロードされたガイド情報を音声ガイド１０と送受信を行う場合については、電子機器１２がプロバイダ専用機器あるいはガイド情報の中継基地局のような役割を果たし、実質的に図１（１）と同様のルートとすることができる。
【００３２】
（３）電子媒体１３を介してガイド情報を受信するルート
図１（４）に例示するように、ガイド情報がサーバー１１→電子通信手段１４→電子機器１２→電子媒体１３ａ→音声ガイド１０と送信されるルートである。つまり、サーバー１１からインターネットなどの電子通信手段１４を介して送信されたガイド情報を一旦電子機器１２にダウンロードし、これと接続された電子媒体１３ａにガイド情報がダウンロードされる。次に、この電子媒体１３ａをデジタルオーディオプレーヤーなどのポータブルプレーヤー１０ｅに装着することによって、ガイド情報を受信し利用することができる。携帯電話１０ａやＰＤＡ１０ｂなどの携帯端末においては、こうしたルートを利用することも可能である。上記のように、小型・軽量で大容量のメモリが実用化されていることから、本音声ガイドシステムにおいて、ガイド情報の授受にこうした電子媒体１３ａを利用することが可能となった。また、図１（５）に例示するように、電子機器１２にダウンロードしたガイド情報を、これと接続あるいは送受信可能な端末専用機器１２ｂにおいて、これと接続された電子媒体１３ｂにダウンロードし、この電子媒体１３ｂをデジタルオーディオプレーヤーなどのポータブルプレーヤー１０ｆに装着するルートも同様である。
【００３３】
＜ガイド情報の構成＞
次に、本システムにおけるガイド情報の構成について、図２Ａおよび図２Ｂを基に説明する。本システムにおいては、利用者に提供されるガイド情報が、第１情報〜第ｍ情報までの多段階の表示情報および／またはこれにリンクする音声情報に区分され、各段階の情報について案内番号が付与された情報であることを特徴とする。つまり、ガイド情報の構成が、表示情報および／または音声情報をリンクし、階層状に整理・体系付けることによって、音声ガイドの画面に表示された表示情報および／または音声情報を任意に選択し、さらに詳細な表示情報および／または音声情報を段階的に得ることができる。こうした構成によって、簡単な操作で素早くガイド情報を入手することが可能となる。
【００３４】
具体的には、図２Ａおよび図２Ｂに例示するように、ｍ層の階層状に体系付けられた表示情報Ｖｎとこれにリンクする音声情報Ｓｎに、案内番号１〜９を付したガイド情報が構成されている。ここで、ガイド情報を複数の言語で提供する場合には、例えば、インターネット上のウェブサイトにおいて選択される言語の表示情報Ｖｎおよびこれにリンクする音声情報Ｓｎを形成することが可能である。あるいは、第ｉ情報（第１情報あるいは第２情報など早期の段階が好ましい）の情報として、表示情報Ｖｉとして、「１：日本語、２：英語、３：韓国語、４：ドイツ語、５：フランス語、６：中国語、・・」を形成し、各案内番号にリンクして、各国の言語である「いち：にほんご、ツー：イングリッシュ、サム：ハングン、フュア：ドイチェ、・・」という音声情報Ｓｉを形成し、以下の階層において各国の言語の表示情報Ｖｎとこれにリンクする音声情報Ｓｎをダウンロードすることができるように形成することも可能である。
【００３５】
（１）第１情報は、メニューページの表示情報Ｖ１として、例えば、「１：プラットナビ＜ダウンロード＞、２：プラットナビ＜ヘルプ＞、３：元に戻す、・・」を形成し、各案内番号にリンクして音声情報Ｓ１を形成する。
【００３６】
（２）第２情報は、例えば、地方情報の表示情報Ｖ２として、「１：北海道、２：東北地方、３：関東地方、４：中部地方、５：北陸地方、６：近畿地方、７：中国地方、８：四国地方、９：九州・沖縄地方」を形成し、各案内番号にリンクして音声情報Ｓ２を形成する。
【００３７】
（３）第３情報は、例えば、近畿地方の地域情報の表示情報Ｖ３として、「１：滋賀県、２：京都府、３：兵庫県、４：奈良県、５：大阪府、６：和歌山県」を形成し、各案内番号にリンクして音声情報Ｓ３を形成する。あるいは、第２情報として、全国地図を表示情報Ｖ２とし２桁の案内番号として、「６１：滋賀県、６２：京都府、６３：兵庫県、６４：奈良県、６５：大阪府、６６：和歌山県」とすることによって層数を少なくすることも可能である。
【００３８】
（４）第４情報は、例えば、京都府の地域情報の表示情報Ｖ４として、「１：京都市、２：京都府北部、３：京都府中部、４：京都府南部」を形成し、各案内番号にリンクして音声情報Ｓ４を形成する。あるいは、第３情報として、近畿地方の地域地図を表示情報Ｖ３とし２桁の案内番号として、「２１：京都市、２２：京都府北部、２３：京都府中部、２４：京都府南部」とすることによって層数を少なくすることも可能である。
【００３９】
（５）第５情報は、例えば、京都市の地域名称を表す表示情報Ｖ５として、「２：洛北、４：洛西、５：洛中、６：洛東、８：洛南」を形成し、各案内番号にリンクして音声情報Ｓ５を形成する。このとき、後述するように、地域情報の概要や次の層の案内情報を音声情報Ｓ５として形成することも可能である。
【００４０】
（６）第６情報では、例えば、洛東にあるガイド対象物に関する表示情報Ｖ６として、「１：八坂神社、３：銀閣寺、５：清水寺、７：六波羅蜜時、９：三十三間堂」を形成し、各案内番号にリンクして音声情報Ｓ６を形成する。このとき、後述するように、各名所の概要や次の層の案内情報を音声情報Ｓ６として形成することも可能である。
【００４１】
（７）第７情報では、ガイド対象物を構成する建築物や名品に関する文字情報や画像情報などの表示情報Ｖ７として、例えば、「１：仁王門、２：鐘楼、３：西門、４：随求堂、５：三重塔、６：本堂・舞台、７：奥の院」を形成し、各案内番号にリンクして音声情報Ｓ７を形成する。
【００４２】
上記（１）〜（７）の階層状情報について、必ずしも第１情報→第２情報→第３情報→・・と順に接続する階層構造を形成する必要はなく、階層ごとに情報レベルの均一性（対象の同一性など情報の量的あるいは質的な均一性をいう）が確保し、任意に接続可能な構造とすることも可能である。具体的には、インターネット上のサイトに、「京都市内観光」「宇治市内観光」など上記第４情報の情報が表示されて選択可能な場合には、最初から第４情報→第１情報→第５情報→第６情報→・・と順に接続する場合などが該当する。
【００４３】
また、階層状の情報間の連結については、表示情報Ｖｎ（第ｎ情報）のうちの１つと段階的に次の表示情報Ｖ（ｎ＋１）（第（ｎ＋１）情報）に連結する機能を有する構成を挙げることができるが、図２Ａおよび図２Ｂの破線矢印に例示するように、音声情報Ｓｎ（第ｎ情報）を選択して段階的に次の音声情報Ｖ（ｎ＋１）（第（ｎ＋１）情報）に切換える構成とすることも可能である。
【００４４】
上記ガイド情報の構成する表示情報Ｖｎについては、少なくとも画像や地図あるいは文字や記号などを表記する情報が含まれ、静止状態の情報のみならず動画像などの時々変化する情報とすることも可能である。また、地図情報については、ＧＰＳ情報あるいは基地局からの情報を基に現在地表示を行う機能を取り入れた情報とすることも可能である。さらに、音声情報Ｓｎは、ナレーションだけではなく、立体音響や、ドラマ形式に編集された情報とすることも好ましい。実用化されている携帯端末の機能を活かし、情報認識を容易かつ鮮明にする効果を期待することが可能となる。
【００４５】
案内番号数は、特に制限はないが、表示情報の見易さおよび利用者の操作性からは、上記（１）〜（７）に述べたように、１〜９までの案内番号を付すことが好ましい。ただし（３）や（４）に述べたように、選択肢が多い場合には、ガイド情報として機能する範囲において２桁以上の案内番号を付すことによって操作性を良くすることも可能である。
【００４６】
＜音声ガイドの構成＞
図３は、本発明の具体例としてインターネット（電気通信手段に相当）に接続可能な携帯電話を利用し京都観光音声ガイドを構成したものであって、ガイド情報を受信する受信部１、受信された情報を保存・処理する処理部（図示せず）、表示情報を画面表示する表示部２、音声情報を音声出力する音声出力部３、および表示情報から任意の選択を担う操作部４から構成される。文字・画像情報や音声情報について、多段階の表示情報とこれにリンクする音声情報に区分して処理部に保存・処理されることによって、操作部４において順に各段階の情報を選択し、所望の画像情報や音声情報を入手することができる点を特徴とする。
【００４７】
表示部２においては、案内番号とともに画像情報あるいは文字情報が表示される。音声出力部３としては、スピーカ３ａによる出力部や端子３ｂを介したイヤホンなどによる出力部などがある。操作部４には、任意の表示情報を選ぶことができる操作キー５と選択キー６が設けられ、片手でガイド情報の選択が可能である。このとき、表示情報が１〜９に区分されている場合には、操作部４にある操作キー５の数字と案内番号の位置関係を一致させて表示情報を表示することによって操作性の向上を図ることができる。
【００４８】
インターネットによって送信された画像情報と音声情報を含むガイド情報を受信した状態において、音声ガイドが有している機能を図３（１）〜（４）に示す。
【００４９】
＜本システムによるガイド情報の入手方法＞
上記音声ガイドを用い、本システムの機能を利用して、利用者がガイド情報を入手する方法を説明する。具体的には、京都の中心地散策用の音声ガイドの場合を例として説明する。
【００５０】
（１）図３（１）に示すように、携帯電話の表示部２のメニュー情報（上記第１情報に相当）から、操作部４の操作キー５によって＜ダウンロード＞を選択し、操作キー５によって＜決定＞を押す。ガイド情報が選択され、地域情報（上記第５情報に相当）が表示される。このとき、音声情報の言語について、日本語以外に数種類の言語を選択できるようにし、選択可能な案内番号（例えば４：言語など）を付して表示することも可能である。以下の説明においては、ガイド情報が一括して処理部にダウンロードされた場合を説明するが、後述するように、操作部４の選択操作ごとに受信部によって受信されダウンロードされる構成とすることが可能である。
【００５１】
（２）地域情報（第５情報）では、図３（２）に示すように、選択キー６に連動したメニュー情報が表示される。例えば、京都市内の地域名称を表す情報として、「２：洛北」「４：洛西」「５：洛中」「６：洛東」「８：洛南」が表示される。このとき、次の表示情報として各地域の名所（上記第６情報に相当）を選択することが可能であり、選択キー６の「６」を押すと、表示情報として「洛東」に表示が移行する。なお、各地域のガイド情報を知りたい場合には、例えば操作キー５を押した後に選択キー６の「６」を押すと、「洛東」に関する音声情報を音声出力部３から得ることができるようにすることが可能である。例えば「洛東では、清水寺、知恩院、南禅寺、銀閣寺といった著名な寺社仏閣、・・・あるいは有名な京都大学や哲学の道など多くの名所を見ることができます。」といった地域情報の概要やその案内情報を、音声情報とすることも可能である。
【００５２】
（３）名所情報（第６情報）では、図３（３）に示すように、選択キー６に連動したガイド対象物に関する画像情報が表示される。例えば、洛東にあるガイド対象物に関する情報として、「１：八坂神社」「３：銀閣寺」「５：清水寺」「７：六波羅蜜時」「９：三十三間堂」が表示される。このとき、次の表示情報として各名所を構成する建築物や名品（上記第７情報に相当）を選択することが可能であり、選択キー６の「５」を押すと、「清水寺」に表示が移行する。なお、各名所のガイド情報を知りたい場合には、例えば操作キー５を押した後に選択キー６の「５」を押すと、「清水寺」に関する音声情報を得ることができるようにすることが可能である。例えば「清水寺は、宝亀９年（７７８年）に延鎮上人によって開創された北法相宗のお寺です。十一面千手観音をご本尊として安置しています。応仁の乱による焼失などを経て、徳川家光によって再建され現在に至っています。・・・音羽の山中より湧出する清泉による音羽の滝から「清水寺」の名がおこりました。」といった各名所の概要やその案内情報を、音声情報とすることも可能である。
【００５３】
（４）建築物や名品情報（第７情報）では、選択キー６に連動した名所を構成する建築物や名品に関する文字情報や画像情報が表示される。例えば、図３（４）に示すように、清水寺の境内図（略図）として、「１：仁王門」「２：鐘楼」「３：西門」「４：随求堂」「５：三重塔」「６：本堂・舞台」「７：奥の院」が表示される。このとき、建築物や名品情報（第７情報）までのガイド情報がダウンロードされたものとし、以降の情報はないものとすると、本表示画面の一部に最終であることを明示することが好ましい。むろん選択キー６の操作によって、次の表示情報として各建物中に収められている名品などを選択することが可能である。
【００５４】
（５）次に、（４）の境内図に表示された各建物から「６：本堂・舞台」のガイド情報を知りたい場合には、例えば操作キー５を押した後に選択キー６の「６」を押すと、「本堂・舞台」に関する音声情報を得ることができるようにすることが可能である。例えば「本堂は、江戸時代初期に再建された国宝で、・・・。舞台は、「清水の舞台から」の諺(ことわざ)の通り・・・、舞楽などを奉納する正真正銘の舞台で、舞台から一望できる京都市内の景観は、誠に絶景です。」といった各名所の概要やその案内情報を、音声情報とすることも可能である。また、同時に「本堂・舞台」の外観画像を表示するも可能である。さらに本情報（第７情報）が最終の場合には、操作キー５を操作せずに選択キー６の操作のみで音声情報を得ることができるようにすることも可能である。
【００５５】
以上の操作において、ガイド情報が一括して処理部にダウンロードされた場合を想定して説明したが、サーバーから直接ダウンロードした場合だけではなく、第１情報〜第ｍ情報までの多段階の表示情報または／およびこれにリンクする音声情報が、操作部４の選択操作ごとに、受信部１によって受信され、あるいは電子媒体からダウンロードされることが可能である。音声ガイドとして使用する端末手段によっては、情報処理能力に差があり、画像情報を含むすべての情報を扱う場合には、処理速度の低下が避けられないことがある。操作部の選択操作ごとにダウンロードを行うことによって、利用者が使用する音声ガイドの負荷を軽減することができる。つまり、上記（２）〜（５）のいずれ操作方法においても、操作キー５および選択キー６の操作によって、各表示情報あるいは音声情報をダウンロードすることが可能である。このとき、操作キー５の操作後の選択キー６の操作ではなく、例えば、上記（５）において、選択キー６を押すと、表示された画面が図１（１）に示すようなダウンロード確認画面に移動し、例えば音声情報をダウンロードする方法も可能である。つまり、表示された情報のみに従い操作することによって、所望の情報を入手できることが好ましいためである。
【００５６】
また、任意の第ｎ情報については、サーバーから直接ダウンロードするのではなく、予め別々にダウンロードするように設定しておき、第１〜第ｍ情報のいずれかから第ｎ情報が選択された場合に、その第ｎ情報について、ダウンロードする方法とすることも可能である。また、操作部４の選択操作ごとにダウンロードする場合との組合せた方法を採ることも可能である。
【産業上の利用可能性】
【００５７】
以上においては、本発明を、主として現在実用化されている電気通信手段、電子機器、あるいは電子媒体および携帯端末を利用した場合について述べたが、上記のような個々に有する各機能と同等の機能を有する機器が実用化された場合には、これらを利用することが可能である。また、昨今の高度な機器の複合機能化によって、上記では個別の機器における記載した機能について、１つの機器で複数の機能を有する場合においても本システムを適用するが可能である。
【図面の簡単な説明】
【００５８】
【図１】本発明の音声ガイドシステムの構成を例示した説明図である。
【図２Ａ】本発明のガイド情報の構成を例示した説明図である。
【図２Ｂ】本発明のガイド情報の構成を例示した説明図である。
【図３】本発明のガイド情報の受信方法を例示した説明図である。
【図４】従来の音声ガイドの構成を例示した説明図である。
【符号の説明】
【００５９】
１    受信部
２    表示部
３    音声出力部
３ａ  スピーカ
３ｂ  端子
４    操作部
５    操作キー
６    選択キー
１０  音声ガイド
１０ａ  携帯電話
１０ｂ  ＰＤＡ
１０ｃ，１０ｄ  デジタルプレーヤー
１０ｅ，１０ｆ  ポータブルプレーヤー
１１  サーバー
１２  電子機器
１２ａ，１２ｂ  端末専用機器
１３，１３ａ，１３ｂ  電子媒体
１４  電子通信手段
【図１】
2007316315.tif 000003
【図２Ａ】
2007316315.tif 000004
【図２Ｂ】
2007316315.tif 000005
【図３】
2007316315.tif 000006
【図４】
2007316315.tif 000007